Podtech/llm-jp-corpus-v4-ja_patent huggingface dataset:
(57)【要約】      （修正有）【課題】水のバブル化とイオン生成をさせる効果によって、洗剤や水の使用量が図られ、また、排水の汚染度の低下も図られる洗濯装置を提供する。【解決手段】クリーニング工場やリネンサプライ工場における洗濯装置であって、水のバブル化とイオンを発生させるための活水器１とファインバブル発生器２を装備した。【選択図】図１
0003228287.tif 000002
【実用新案登録請求の範囲】
【請求項１】
クリーニング工場や、リネンサプライ工場に於いては、膨大な水や洗剤の使用により、環境負荷の多い産業とされている。その為の対応策としては、水の使用量の減少、洗剤使用量の減少、各設備の清浄化等によっての、諸経費や人件費等の削減が必要とされている。
その為に本考案は、洗濯工程に於いて、先ずは水のバブル化と、イオンを発生させることをし、更にそのバブルを微細化することによって、洗濯工程を短縮化したものである。そして、ファインバブル発生時の流量不足を解消するため、貯水タンクを配置する。
【考案の詳細な説明】
【技術分野】
【０００１】  本考案は、クリーニング工場での、洗剤や水使用量の削減によって、生産費用の削減と、環境負荷の低減とを目指すものである。
【背景技術】
【０００２】  ベッドカバー、シーツ、枕カバー、寝具、マット等のリネンサプライや、クリーニング工場に於いては、生産効率の向上、環境負荷の低減を、積極的に進めることが必要となってきている。
その方策として、生産性の向上をすると共に、水や洗剤の使用量の削減等による環境負荷削減を積極的に進めることが必要となってきており、これはＳＤＧｓの推進方策にも必要となってきている。
【先行技術文献】
【特許文献】
【０００３】
【特許文献１】特開  ２００６−０８７７５２
【０００４】
【特許文献２】特開  ２００８−２８７５２５
【０００５】
【特許文献３】特開  ２００９−２４７５０４
【０００６】
【特許文献４】特開  ２０１１−１４９５６２
【考案の概要】
【考案が解決しようとする課題】
【００７】クリーニング工場やリネンサプライ工場に於いては、多量の水・並びに洗剤が使用されることにより、環境負荷の多い産業とされている。
本考案はそれらの洗濯工程に於いて、洗剤の量と洗濯時の水量を大きく削減することによって、環境負荷を大きく低下させるものである。
【課題を解決するための手段】
【００８】上記の課題に鑑みて、本考案の目的を達成させる手段として、多くの洗剤を使用しなくても目的が達成できる方策として，配管のスケール防止、防錆、防藻対策用としての活水装置を使用することで効果を得ることが出来る。
【考案の効果】
【００９】本考案の効果は
▲１▼  洗剤の使用量を減少させること。
▲２▼  すすぎの回数を減らし、水の使用量を減少させることが出来ること。
▲３▼  洗濯時間を短縮させることにより、生産の増大、人件費や諸経費の減少が図れるようになること。
▲４▼  加温を減少させる方式を取ることにより、ガスなどの消費エネルギーの削減が図れるようになること。
▲５▼  洗濯物の痛みを減少させること。
▲６▼  トータルとして、生産コストの削減が図れることである。
【考案を実施するための形態】
【００１０】本考案により、クリーニング工場やリネンサプライ工場での、環境改善対策に大きく寄与することが出来る。
【実施例】
【００１１】以下、添付図面に従って実施例を説明する。
１は水を注入することによってバブルの発生とイオンを生成させる活水器である。活水器を通った水は、２のファインバブル発生器により、更に細かい微細バブルを発生させる。ファインバブル発生器を通った水は、３の貯水タンクが、バブル発生器の作用の結果、水の量が不足するため、洗濯機への必要水量を確保するため必要となる。４は洗濯物を洗濯する洗濯機である。
【図面の簡単な説明】
【００１２】
【図１】本考案に於いて、水を注入してから、バブルの発生とイオンを生成させ、洗濯機で洗濯物を安いコストで洗濯する手順を示した図である。
【符号の説明】
【００１３】１  水を注入することによって、バブルの発生とイオンを生成させる活水器である。
２  活水器から注入されたバブル水を、更に微細バブル化させる、ファインバブル発生器    である。
３  バブルの発生器を通過した水は、バブル化により流量が不足するため、水を補うため    の貯水タンクである。
４  洗濯ものを洗うための洗濯機である。
【図１】
0003228287.tif 000003
【手続補正書】
【提出日】令和2年6月24日(2020.6.24)
【手続補正１】
【補正対象書類名】実用新案登録請求の範囲
【補正対象項目名】全文
【補正方法】変更
【補正の内容】
【実用新案登録請求の範囲】
【請求項１】
クリーニング工場や、リネンサプライ工場に於いての膨大な水や洗剤の使用量を減少させるために、水のバブル化とイオンを発生させるための活水器とファインパプル発生器を装置したことを特徴とする洗濯装置。
(57)【要約】【課題】本考案は布マスクに対してフィルタと機能シートを同時に固定でき、交換が簡単になるマスクを提供する。【解決手段】本考案はマスク１において、顔面に接するマスクの内側２に口元周りのスペースＢを空け、左右両側に帯３を縦方向に取り付け、帯３によりフィルタ類４やシート類５を同時に固定でき、固定するフィルタ類４やシート類５に合わせ、帯の幅Ａが変動して作ることができることを特徴とする帯付きマスク。【選択図】図１
0003228241.tif 000002
【実用新案登録請求の範囲】
【請求項１】
左右両端に耳掛け紐を取り付け顔面装着時に口及び鼻腔部分を覆うマスクにおいて、顔面に接する内側に口元周りのスペースを空け、左右両側に帯を縦方向に取り付け帯によりフィルタ類やシート類を同時に固定でき、固定するフィルタ類やシート類に合わせ、帯の幅が変動して作ることができることを特徴とする帯付きマスク。
【請求項２】
帯に文字や模様や記号を入れロゴテープとして、おしゃれなデザインとしてリボンテープを使用することができ、マスク上下分かりやすくする役割を果たせることを特徴とする請求項１に記載のマスク。
【請求項３】
顔面に接する内側の左右両側の帯で左右両側一枚ずつシート類やパック類を固定できることを特徴とする請求項１に記載のマスク。
【考案の詳細な説明】
【技術分野】
【０００１】  本考案は、口及び鼻腔部分を覆い呼吸に対してフィルタ機能を果たしたり、同時に冷却又は温め又は美容又はアロマ機能を果たすことも可能なマスクに関するものである。
【背景技術】
【０００２】  従来、布マスクはフィルタの機能がない。フィルタ機能を付けたい時は、マスクの内側にフィルタポケットを付け、フィルタ等を入れることで、マスクの機能を向上し、フィルタ類を取り替えることで、衛生的に使われることは知られている。
【先行技術文献】
【特許文献】
【０００３】
【特許文献１】実用新案登録第３２０４２２０号
【特許文献２】実用新案登録第３０８０５５１号
【考案の概要】
【考案が解決しようとする課題】
【０００４】  細菌やウイルス飛沫の侵入を防ぐ機能を向上するために、従来、布マスクにはフィルタポケットを付けるが、フィルタポケットを付けることで、次のような問題点があった。
１．マスクの厚みは厚くなり、暑い時は息苦しくなる。
２．フィルタとして、身近なキッチンペーパーやティッシュ等、強度的に弱いものを使用する場合、入れづらく、手間を取る。
３．フィルタポケットで顔とフィルタ類との間に隙間が出来、フィット感が低下する。
４．フィルタポケットに口紅がつき、マスクが汚れる。
５．従来のマスクの上下が分かりづらい時がある。
６．左右両側に一枚ずつシート類やパック類を固定するのが手間を取る。
【課題を解決するための手段】
【０００５】  本考案は、左右両端に耳掛け紐を取り付け顔面装着時に口及び鼻腔部分を覆うマスクにおいて、顔面に接する内側に口元周りのスペースを空け、左右両側に帯を縦方向に取り付け帯によりフィルタ類やシート類を同時に固定でき、固定するフィルタ類やシート類に合わせ、帯の幅が変動して作ることができることを特徴とする帯付きマスク。
【考案の効果】
【０００６】  上述の様に、本考案のマスク本体の内側に口元周りのスペースを空け、左右両側に帯を縦方向に取り付けることによって、
１．マスクの厚みは薄くなり、涼しく使える。
２．フィルタとして、身近なキッチンペーパーやティッシュ等、強度的に弱いものを使用する場合でも、入れやすく、交換が簡単になる。
３．フィルタポケットがない分、顔とフィルタ類とのフィット感が向上する。
４．マスクに口紅が付かなくなる、マスクが衛生的に使える。
５．帯に文字や模様や記号を記入することが出来、オリジナルデザインとロゴテープの機能を果たし、マスクの上下が分かりやすくすることが出来る。
６．左右両側に一枚ずつシート類やパック類を固定することが簡単になる。
【図面の簡単な説明】
【０００７】
【図１】本考案の斜視図
【図２】本考案のフィルタ類を固定する時の正面図
【図３】本考案のシート類を固定する時の正面図
【考案を実施するための形態】
【０００８】  図１〜図３によって示す実施の形態は、口及び鼻腔部分を覆い呼吸に対してフィルタ機能を果たしたり、同時に顔を冷やしたり、温めたり、美容機能やアロマリラックス機能を果たすことも可能なマスクに関するものである。マスク本体の内側に口元周りのスペースを空け、左右両側に縦方向に帯を取り付ける構造である。
【実施例】
【０００９】  フィルタ類とは市販のフィルタ、不織布、機能布、身近なキッチンペーパーやティッシュのことである。図２によって示すように一枚のフィルタをマスクの内側中央に置き両側は左右両側の帯で押さえて固定する構造である。【００１０】  シート類とパーク類とは冷却シート、温めシート、美容シート、アロマシート、冷却パック、温めパック、美容パックのことである。図３によって示すように口元周りのスペースを空けて、マスクの内側に左右両側一枚ずつ、それぞれ両側の帯で押さえて固定することができ、必要に応じて、帯の幅を広くして作ることができる。シート種類により、顔を冷やしたり、温めたり、保湿したり、アロマでリラックス効果が得られる多機能マスクになる。【００１１】  フィルタ類とシート類は必要に応じて、それぞれ使うことができるが、図１によって示すように二つ以上を同時に使うことが可能である。【００１２】  帯は生地で作製したり、おしゃれなデザインとしてリボンテープ使用したり、社名を入れロゴテープとして、会社を宣伝することができる。【００１３】  帯に文字、模様、記号等を入れることで、マスクの上下を分かりやすくなる。
【符号の説明】
【００１４】  １  マスク
２  マスクの内側
３  帯
４  フィルタ類
５  シート類
６  耳かけ紐
Ａ  帯の幅
Ｂ  口元周りのスペース
【図１】
0003228241.tif 000003
【図２】
0003228241.tif 000004
【図３】
0003228241.tif 000005
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
左右両端に耳掛け紐を取り付け顔面装着時に口及び鼻腔部分を覆うマスクにおいて、顔面に接する内側に口元周りのスペースを空け、左右両側に帯を縦方向に取り付け、帯によりフィルタ類やシート類を固定でき、固定するフィルタ類やシート類に合わせ、帯の幅と本数が変動して作ることができることを特徴とする帯付きマスク。
【請求項２】
帯に文字や模様や記号を入れロゴテープとして、おしゃれなデザインとしてリボンテープを使用することができ、マスク上下分かりやすくする役割ができることを特徴とする請求項１に記載のマスク。
【請求項３】
顔面に接する内側の左右両側の帯で左右両側一枚ずつシート類やパック類を固定することができることを特徴とする請求項１に記載のマスク。
(57)【要約】      （修正有）【課題】経済的負担が大きくならず、伝達事項が雨でにじむのを防げる内部変更自在式看板を提供する。【解決手段】内部変更自在式看板は看板本体１にポケット２、３を設け、４の点線部分が山折りになる事で蓋となり外置きでの水滴を防ぐ。【選択図】図１
0003228206.tif 000002
【実用新案登録請求の範囲】
【請求項１】
看板にポケットを付け上部に雨及び水滴が入らないように蓋（カバー）を付けたところを特徴とする内部変更自在式看板
【考案の詳細な説明】
【技術分野】
【０００１】      本考案は、看板にポケットを付けて、その都度表示内容を変更できる看板に関するものである。
【背景技術】
【０００２】      以前は内容毎にその都度看板を作り直していた。
【考案の概要】
【考案が解決しようとする課題】
【０００３】      内容変更だけなのに看板ごとを今までは新しくしていたので経済的負担が大きく何よりも伝達事項が増えるごとに看板も増えると言う悪循環であった。
【課題を解決するための手段】
【０００４】      本考案は、看板本体に伝達事項を知らせる情報をポケット内に設け、その内側に入れることで、雨でにじむ問題点を解決している。
【考案の効果】
【０００５】      上述の様に、本考案の内部変更自在式看板は中身を入れ替えれば在庫の看板が使えるので非常にエコである
【図面の簡単な説明】
【０００６】
【図１】  本考案の内部変更自在式看板の一実施例を示す正面図である。
【考案を実施するための形態】
【０００７】      看板のポケットは上から蓋ができるので雨が避けられる。
【実施例】
【０００８】      以下、添付図面に従って一実施例を説明する。１は看板本体、２・３はポケット伝達事項を知らせるもので４が山折りの蓋になる
【符号の説明】１  看板本体
２  ポケット
３  ポケット
４  蓋（山折り線）
【図１】
0003228206.tif 000003
(57)【要約】      （修正有）【課題】季節を問わず、首元と脇部分を温め、かつ動き易い女性の健康を考えた女性用洋服を提供する。【解決手段】洋服の首元をハイネック、２分丈の袖の形状にすることで、身体を温めることが出来るとともに、動きやすくなる。身体を温める服を身に付けることで、健康になれる。【選択図】図１
0003228233.tif 000002
【実用新案登録請求の範囲】
【請求項１】
首元ハイネック形状と２分丈袖を特徴とした女性用洋服である。
【考案の詳細な説明】
【技術分野】
【０００１】  本考案は、季節を問わず、首元と脇部分の温める機能と２分丈袖で動き易さの、女性の健康を考えた服である。【０００２】  健康を考慮した服を身に着けたい。
【考案の開示】
【考案が解決しようとする課題】
【０００３】  健康を考慮した服を身に着けたい。
【課題を解決するための手段】
【０００４】  本考案は、女性服の首元をハイネックの形状にし、袖部分を脇がかくれる程度の２分丈袖で動き易い形状にする。
【考案の効果】
【０００５】  身体を温める服の形状で健康に過ごすことが、できる。
【図面の簡単な説明】
【図１】首元ハイネック、袖２分丈
【符号の説明】
【０００６】１  衣服用布地
【図１】
0003228233.tif 000003
(57)【要約】      （修正有）【課題】外周をすべてアルミの波板で覆い一体的に構成することで剛性を出し、製造コストを引き下げ、製作期間も短縮する航空機の翼を提供する。【解決手段】翼の形状の金属フレーム１とその内部に数本のスパー３、及びリブ２で翼のフレーム全体骨格を構成し、上部はアルミ波板４をリブに固定し、金属フレームの下側からもアルミ波板を取り付け、金属フレームに固定し、翼のフレーム全体骨格の上部と下部に取りつけたアルミ波板を全周で固定し一体構造とすることで翼を制作し、アルミ波板の剛性で強度を発揮させる。また、アルミ波板は全面を薄い金属等で覆い滑らかにする。【選択図】図１
0003228239.tif 000002
【実用新案登録請求の範囲】
【請求項１】
航空機について、翼の全体のフレームを金属で構成し、かつ横方向に２〜３本横にスパーを取りつけ、そこに適当な間隔でリブをフレームに取りつけ、その上面にはアルミなどの波板をリブの形状に合致するように成型した部材を被せて固定し、下部にも下部の形状に合致するアルミなどの波板を翼の下枠に取りつけ、同時に上のアルミの波板とも接合し、アルミの波板の表面は全面に薄い金属の板か炭素繊維を張りつけ滑らかにすることを特徴とする航空機の翼。
【考案の詳細な説明】
【技術分野】
【０００１】  本考案は、アルミの波板で航空機の主翼を製作することに関するものである。
【背景技術】
【０００２】  航空機の翼はスパー、リブ、ストリンガーで骨格を形成しその上に外板を多数取り付け、製造工程は複雑で航空機の価格を押上げる要因でもあった。
【考案の概要】
【考案が解決しようとする課題】
【０００３】  翼の基本形をフレームで製作し、数本スパーを中に通し、そこにリブを通常の航空機と同じように取り付ける。次にそのフレームの上下からアルミ等の波板で覆い接合して一体構造とする。この袋状のアルミの波板の剛性で翼の強度を得るようにし、かつ製作の複雑な工程を簡便にするものである。翼を上下から包み込む波板はその表面を薄い金属や炭素繊維で覆い滑らかにするものである。
【課題を解決するための手段】
【０００４】  比較的低速で飛行する航空機について、あるいは飛行艇のような場合、翼は単純な長方形が多く、その場合、翼の平面形状の枠を金属で構成し、横方向には２〜３本のスパーを枠に取りつける。それらは適当な間隔でリブで固定される。その上面はアルミなどの波板でリブの形状に合致するように成型した部材を固定する。下部にも下の枠の形状に合致する形状のアルミなどで成型された波板を取り付け、下の枠に取りつける。同時に上下のアルミの波板も全周で接合する。次にアルミの波板の表面は薄い金属か炭素繊維で被覆する。こうすることで翼の強度を得かつ製造工程を著しく簡単にするものである。もとよりアルミの波板で上下から覆われた翼の内部には従来通り燃料タンクは格納できる。またエンジンも翼のフレームに取りつけることは従来と同じである。小型航空機の場合、このようにして製作して全体を一体的に製作した翼を胴体に直接固定することでもよい。大型航空機の場合には左右を別々に製作し機体に取りつける。波板の材料は他の金属でも炭素繊維でもよい。
【考案の効果】
【０００５】  上述のように、本考案の翼の外側をアルミの波板で全体を覆うことで、複雑な翼の製作が簡便となり、かつ必要な強度はアルミの波板を適切な厚さとすることで得ることができ、製作コストは著しく下げられ、かつ製作期間も大幅に短縮できる。
【図面の簡単な説明】
【０００６】
【図１】  航空機の本考案の翼の一部切り欠き断面図である。
【図２】  本考案の翼のフレームの外観図である。
【図３】  本考案の翼の断面図である。
【考案を実施するための形態】
【０００７】  航空機について、翼の全体の枠を金属で構成し、かつ横方向に１〜２本横にスパーを取りつける。そこに適当な間隔でリブの形状の金属フレームを取りつけ、その上面にはアルミなどの波板をリブの形状に合致するように成型した部材を被せリブに取りつける。下部にもリブの形状の下部に合致する形状のアルミなどの波板を翼の下枠に取りつけ、同時に上のアルミの波板とも接合し一体構造とし、またアルミの波板の表面は全面に薄い金属か炭素繊維を張りつけ滑らかにする。これにより通常は複雑な構造の翼は著しく簡単にかつアルミの波板の剛性で強度が保てる。
【実施例】
【０００８】  以下添付図面に従い一実施例を説明する。８は小型航空機、９はそれに取りつけられた翼で、本考案の翼はその形状の金属フレーム１とその内部に数本のスパー３、及びリブ２で翼のフレーム全体骨格１０を構成する。次にその上部をアルミ波板４をリブ２に固定し、次に金属フレーム１の下側からもアルミ波板５を取り付け、金属フレーム１に固定する。【０００９】  次に翼のフレーム全体骨格１０の上部に取りつけたアルミ波板４とアルミ波板５を全周で固定し一体構造とする。
【符号の説明】
【００１０】１．金属フレーム
２．リブ
３．スパー
４．翼の上部のアルミ波板
５．翼の下部のアルミ波板
６．アルミ波板の上表面に取りつける薄い金属板か炭素繊維
７．アルミ波板の下表面に取りつける薄い金属板か炭素繊維
８．航空機の機体
９．翼
１０．翼のフレームの全体骨格
【図１】
0003228239.tif 000003
【図２】
0003228239.tif 000004
【図３】
0003228239.tif 000005
(57)【要約】      （修正有）【課題】使用済みの生理用ナプキンと尿漏れパッドを、トイレットペーパー又は、紙等にくるくる包んで捨てる不都合を解消する折りたたみひだポケット付き個別ラップを提供する。【解決手段】折りたたみひだポケット付き個別ラップ１は、使用済み生理用ナプキンと尿漏れパッドを保持する個別ラップ１のポケット２と、このポケットの一部に折りたたんだひだ３を備え、折りたたみひだポケット付き個別ラップ１の折りたたみひだを全開にすると、たやすく使用済みの生理用ナプキンと尿漏れパッドを収める事が出来る。【選択図】図１
0003228234.tif 000002
【実用新案登録請求の範囲】
【請求項１】
使用済みの生理用ナプキンと尿漏れパッドを保持する、個別ラップのポケットと、このポケットの一部に折りたたんだひだを備えた、折りたたみひだポケット付き個別ラップ。
【考案の詳細な説明】
【技術分野】
【０００１】  本考案は、使用済みの生理用ナプキンと尿漏れパッドを捨てる時に使用する折りたたみひだポケット付き個別ラップに関する。
【背景技術】
【０００２】  従来の使用済みの生理用ナプキンと尿漏れパッドは、トイレットペーパー又は、紙等にくるくる包んで捨てていた。
【考案の開示】
【考案が解決しようとする課題】
【０００３】  しかしこれでは、資源の無駄になり、見た目にも美しくなく不便である。
【課題を解決するための手段】
【０００４】  そこで、使用済みの生理用ナプキンと尿漏れパッドを保持する個別ラップのポケットと、このポケットの一部に折りたたんだひだを備えた、折りたたみひだポケット付き個別ラップを考案した。（図１）。
この折りたたみひだポケット付き個別ラップにより、使用済みの生理用ナプキンと尿漏れパッドが保持される為、資源の無駄をなくし見た目にも美しく便利になる。
【考案の効果】
【０００５】  よって、折りたたみひだポケット付き個別ラップにより、使用済みの生理用ナプキンと尿漏れパッドを捨てる時、トイレットペーパー又は、紙にくるくる包むことなく、資源の無駄をなくす事が出来る。又、折りたたみひだポケット付き個別ラップは、未開封時には、ひだが折りたたまれた状態なので、かさばる事がなく、持ち運びに便利である。
折りたたみひだポケット付き個別ラップの折りたたみひだを全開にすると、折りたたんだ分ポケットが広がり、たやすく使用済みの生理用ナプキンと尿漏れパッドを収める事が出来る。
【考案を実施するための最良の形態】
【０００６】  本考案に係る折りたたみひだポケット付き個別ラップは、図１に示すように、使用済みの生理用ナプキンと尿漏れパッドをたやすく保持するポケット２を備えている。そして、このポケット２の一部に折りたたみひだ３を設けている。折りたたみひだポケット付き個別ラップの大きさは、それぞれの生理用ナプキンと尿漏れパッドのサイズに応じて決めればよい。素材は、それぞれの個別ラップと同素材で形成することが望ましい。折りたたみひだの大きさも、それぞれの生理用ナプキンと尿漏れパッドのサイズに合わせる。
【図面の簡単な説明】
【０００７】
【図１】    本考案に係る折りたたみひだポケット付き個別ラップの、折りたたみひだを閉じた状態の平面図である。
【図２】    本考案に係る折りたたみひだポケット付き個別ラップの、折りたたんだひだを全開にして、使用済みの生理用ナプキンを入れた状態である。
【符号の説明】
【０００８】１．折りたたみひだポケット付き個別ラップ
２．ポケット
３．折りたたみひだ
４．使用済み生理用ナプキン
【図１】
0003228234.tif 000003
【図２】
0003228234.tif 000004
(57)【要約】      （修正有）【課題】バッグ本体の外側に縦長の袋を取り付け、スーパーマーケット等で購入した長い野菜が転倒したり落下したりしてしまうことを防止できる買い物袋を提供する。【解決手段】バッグ本体１の外側に縦長の袋２を設けることにより、スーパーマーケット等で購入した長い野菜が袋内で転倒したり落下したりしてしまうことを防止する。更にバッグ本体の外側に袋を取り付けたことによって出来たスペース内にも収納することが可能となり、食品を安定且つ、傷つけずに持ち運ぶことに役立つ。【選択図】図３
0003228231.tif 000002
【実用新案登録請求の範囲】
【請求項１】
エコバッグ本体の側端部外側に縦長の袋を上下方向に設けたことを特徴とするエコバッグ。
【請求項２】
前記縦長の袋の外周部でエコバッグ本体の側端部外側に当接する部分に、前記外周部とエコバッグ本体の側端部との間にスペースが設けられていることを特徴とする請求項１に記載のエコバッグ。
【請求項３】
前記縦長の袋を使用しない場合に折り畳んで保持固定を可能とする留め具が前記縦長の袋の上部外側と下部外側に設けられていることを特徴とする請求項１又は２に記載のエコバッグ。
【考案の詳細な説明】
【技術分野】
【０００１】  本考案は、エコバッグ本体の外側に縦長の袋を取り付けたエコバッグに関するものである。
【背景技術】
【０００２】  従来スーパーマーケット等で長い野菜（例えばゴボウや長ネギ等）を購入して、レジ袋や買い物バッグに袋詰めを行うとその形状上、安定せず袋内で倒れてしまうことがある。
【先行技術文献】
【特許文献】
【０００３】
【特許文献１】実用新案登録第３２２１３７３号  公報
【考案の概要】
【考案が解決しようとする課題】
【０００４】  長い野菜を購入した際、レジ袋や買い物バッグの深さでは長い野菜が入りきらず、袋内で倒れ斜めに飛び出したり落下しそうになり持ち運びづらいということがあった。従って、エコバッグ本体の側端部外側に縦長の袋を設け、長い野菜を収納し安定させて持ち運べることにより前述の欠点を解決しようとするものである。
【課題を解決するための手段】
【０００５】  本考案の１は、エコバッグ本体の側端部外側に縦長の袋を上下方向に設けたことによって解決した。【０００６】  本考案の２は、本考案の１に記載のエコバッグにおいて縦長の袋の外周部でエコバッグ本体の側端部外側に当接する部分に、前記外周部とエコバッグ本体の側端部との間にスペースが設けられていることによって解決した。【０００７】  前記縦長の袋を使用しない場合は折り畳んで固定する。
【考案の効果】
【０００８】  上述のように、本考案のエコバッグは縦長の袋を設け、長い野菜を安定させて持ち運ぶことは勿論、エコバッグ本体と縦長の袋の間に出来たスペース内にも傷つき易い野菜（例えばニラや小ネギ等）の収納が可能となる。更に、縦長の袋を使用しない場合は折り畳んで固定しておくことでエコバッグ本体のみで使用することも可能である。
【図面の簡単な説明】
【０００９】
【図１】エコバッグを正面から見た図である。
【図２】図２の（ａ）は縦長の袋を折り畳んでいる途中の図である。図２の（ｂ）は折り畳み完了図である。
【図３】エコバッグ本体と縦長の袋の間に出来たスペースを示すものである。（点線部）
【図４】図３のスペースにニラを入れた時の使用例を示す図である。
【考案を実施するための形態】
【００１０】  縦長の袋及びエコバッグ本体と縦長の袋の間に出来たスペース内に、購入した野菜の長さや種類によって袋を使い分けて入れる。
【実施例】
【００１１】  以下、添付図面に従って一実施例を説明する。
留め具２ａ及び２ｂを取り付けた縦長の袋状に縫ったもの２を、エコバッグ本体１の側端部外側に縫い付ける。Ｎはその縫い付けた場所を示す。【００１２】  縦長の袋２をエコバッグ本体１の側端部外側に縫い付けたことによりエコバッグ本体１と縦長の袋２の間にスペースＳがうまれ収納可能となる。縦長の袋２は長い野菜（ゴボウや長ネギ等）に使用し、スペースＳ部には傷つき易い短めの野菜（ニラや小ネギ等）に使用するなどし、野菜の長さや種類に応じて袋を使い分けることが可能である。【００１３】  縦長の袋２は長い野菜を購入せず使用しない場合には、袋を折り畳み留め具２ａ及び２ｂで留め、固定しておくことでエコバッグ本体１のみでの使用も可能となる。
【符号の説明】
【００１４】１            エコバッグ本体
２            縦長の袋
２ａ・２ｂ    留め具（マジックテープ・ボタン等）
Ｎ            縦長の袋をエコバッグ本体に縫い付けた場所
Ｓ            エコバッグ本体と縦長の袋の間
【図１】
0003228231.tif 000003
【図２】
0003228231.tif 000004
【図３】
0003228231.tif 000005
【図４】
0003228231.tif 000006
【手続補正書】
【提出日】令和2年6月11日(2020.6.11)
【手続補正１】
【補正対象書類名】実用新案登録請求の範囲
【補正対象項目名】全文
【補正方法】変更
【補正の内容】
【実用新案登録請求の範囲】
【請求項１】
買い物袋本体の側端部外側に縦長の袋を上下方向に設けたことを特徴とする買い物袋。
【請求項２】
前記縦長の袋の外周部で買い物袋本体の側端部外側に当接する部分に、前記外周部と買い物袋本体の側端部との間にスペースが設けられていることを特徴とする請求項１に記載の買い物袋。
【請求項３】
前記縦長の袋を使用しない場合に折り畳んで保持固定を可能とする留め具が前記縦長の袋の上部外側と下部外側に設けられていることを特徴とする請求項１又は２に記載の買い物袋。
(57)【要約】      （修正有）【課題】植物の根の発育を促進させ、作業を簡素化させ、資源やコストを節約し、農業・園芸の振興に役立つ育苗ポットを提供する。【解決手段】ポットから底を無くす。一貫作業で移植をする際、ポットから苗を取り出す作業がなく、作業の効率化が図れる。【選択図】図１
0003228236.tif 000002
【実用新案登録請求の範囲】
【請求項１】
植物の根の伸育を阻害せず、苗を育成するための育苗ポットであって、前記育苗ポットの底部を無くしたことを特徴とする育苗ポット。
【考案の詳細な説明】
【技術分野】
【０００１】  本考案は、植物の根の伸育を阻害せず、苗を育成するための育成ポットに関するものである。
【背景技術】
【０００２】  この種の育成ポットとしては、特許文献１に示すように、開口部から底部に向かって拡径する本体と本体の下端に着脱できる水抜き穴を有する底部からなる育成ポットが開示されている。
【先行技術文献】
【特許文献】
【０００３】
【特許文献１】特開２０１５−７３５２８号公報
【考案の概要】
【考案が解決しようとする課題】
【０００４】  上記の育成ポットの底部は、一面に小さな水抜き穴が複数個設けられている。また、市販の育成ポットは底部の中心に水抜き穴が１カ所、その周囲に複数個設けられているのが一般的である。このように底部の一部に穴を設けた育苗ポットでは、植物の根が成長とともに下方へ伸び、底部に達すると、底部に穴が有れば底を通過できるが、穴が無ければ通過できずに育苗ポットの中で渦巻き状に絡みつく。このため、後で次々出てくる根の発育を阻害するばかりか、畑等に移植する際に、渦巻き状に絡みついた根を取り除く必要があり、苗の健全な育成を阻害する。
【課題を解決するための手段】
【０００５】  このため、育苗ポットの中で根を渦巻き状に絡みつかなくするためには、育苗ポットの底部を無くすことが必要である。
【考案の効果】
【０００６】  育成ポットの底を無くすことにより、ポットの中で根が渦巻き状に絡みつかなくなるため、根を取り除く必要がなく、底を有する一般の育苗ポットのように苗を取り出す必要がなく、苗を入れたままの状態で畑等に移植することができる。このため、移植時に枝が折れたり、蕾が取れたり、毛根が枯れることなく苗を健全に育成することができる。また、作業の省力化にも寄与する。
【図面の簡単な説明】
【０００７】
【図１】  本考案の一実施例を示す育苗ポットの斜視図である。
【考案を実施するための形態】
【実施例】
【０００８】  以下、図１に従って一実施例を説明する。本体１の素材は軟質生分解性樹脂で、形状は円筒状で上部と底部が開口であり、底のない育成ポットである。ここで上記素材は、ペーパーでも非生分解性樹脂でも陶器でもよく素材は選ばない。ただし、非生分解性素材のポットはごみになるため、収穫後畑から回収する必要がある。また、上記形状は、開口部から底部に向かって拡径、あるいは開口部から底部に向かって狭径でも、さらに三角柱でも多角柱でも良く、底部が無く根が底を通過しポットの中で根が渦巻き状に絡みつかなければ、どのような形状でもかまわない。【０００９】  根が成長することにより、下方が膨らみ、ポットから苗がずり落ちることがない。また、底が無いために、根がすくすくと伸び、従来の苗をポットから取り出す手間や、底に絡みついた根の処理から解放される。
今までは苗を育てる人、苗を植える人がそれぞれ分業になっていたため、何の疑問も感じずこれが盲点であった。考案者が自ら一貫作業をしたことによる発見である。
【産業上の利用可能性】
【００１０】  ポットの製造の立場から見ると、ポットを大量生産するため金型や設備に大金を必要とした。これからは、製造するメーカーも、花・野菜・果樹・森林と、幅の広い産業に関わっておられる方々が、ポットから底を取り除いただけで、作業内容も大幅に変るため育苗界が変る可能性がある。
【符号の説明】
【００１１】  １  本体
２  底
【図１】
0003228236.tif 000003
(57)【要約】      （修正有）【課題】緩衝に用いたり、又は押したり握ったりして使用することができる弾力物を提供する。【解決手段】弾力物１は、弾性体２と、当該弾性体の外部を被覆する弾性布３とを有しており、弾性布は弾性体と密着している。外力を受けると、弾性体と弾性布が同期して変形し、外力が消失すると、弾性体と弾性布が同時に原状回復する。弾性体はその外部が弾性布で被覆されており、人体の弾性体との接触を防止することができ、弾性体上の可塑剤その他の化学物質が人の手に残留することがないので、安全性が高い。弾力物を応用できる分野はかなり広いので、優れた使用性を有する。【選択図】図２
0003228264.tif 000002
【実用新案登録請求の範囲】
【請求項１】
緩衝に用いたり、又は押したり握ったりして使用することができる弾力物であって、
弾性体と、当該弾性体の外部を被覆する弾性布とを有しており、前記弾性布は前記弾性体と密着しており、外力を受けると、弾性体と弾性布が同期して変形し、外力が消失すると、弾性体と弾性布が同時に原状回復する、ことを特徴とする弾力物。
【請求項２】
前記弾性布が、縫製によって前記弾性体の外部を被覆している、請求項１に記載の弾力物。
【請求項３】
前記弾性布が、複数の布片を縫い合わせたものである、請求項２に記載の弾力物。
【請求項４】
前記弾性布の外部は、美観を増すために様々なパターンを形成することができる、請求項２に記載の弾力物。
【考案の詳細な説明】
【技術分野】
【０００１】
本考案は、弾力物、特に弾性回復力を有する弾力物に関する。
【背景技術】
【０００２】
弾性を有する物体は、日常生活の中、例えばスポーツ用具や医療リハビリ器具、緩衝器材、玩具などの分野に幅広く応用されており、弾性を有する球体は前述の各分野においてよく見られるもので、具体的には、弾性を有する球体は、スポーツ用のボール類として作製したり、掌で握るリハビリ器具として使用したりすることができる。子どもが遊ぶためにユニークな外形にデザインすることもできるし、また、中華民国特許出願第１０５２１３９８４号「緩衝素子」を参照すると、弾性回復力を利用して緩衝（体）として使用されている。前述の緩衝素子は、主に中心の弾性体の外部をポリウレタンの化学フィルムで包んだもので、このフィルムは中心弾性体を被覆する役割は果たせるものの、化学材質のフィルムが可塑剤その他の化学物質を含有していることから、その使用性が限定されてしまう。例えば、リハビリ医療器具や玩具、スポーツ用具に使用すると、容易に身体と接触するため適切ではない。つまり、化学材質のフィルムで被覆するという現在のこの種の技術には、使用性が悪いという欠点が存在するのである。
【先行技術文献】
【特許文献】
【０００３】
【特許文献１】中華民国特許出願第１０５２１３９８４号「緩衝素子」
【考案の概要】
【０００４】
よって本考案は、使用性に優れた弾力物を提供することを目的としている。
本考案の弾力物は、緩衝に用いたり、または押したり握ったりして使用することが可能であり、弾性体と、当該弾性体の外部を被覆する弾性布を有している。弾性布は弾性体と密着しており、外力を受けると、弾性体と弾性布が同期して変形し、外力が消失すると、弾性体と弾性布が同時に原状回復する。弾性体は外部が弾性布で被覆されており、人体の弾性体との接触を防止することができ、弾性体上の可塑剤その他の化学物質が人の手に残留することがないので、安全性が高く、弾力物を応用できる分野をかなり広げているので、優れた使用性を有していることは確実である。
【図面の簡単な説明】
【０００５】
【図１】本考案の好適な実施例における弾力物の立体図（斜視図）である。
【図２】本考案の好適な実施例における弾力物の断面図である。
【図３】本考案の好適な実施例における弾力物の変形状態の断面図である。
【図４】本考案の好適な実施例における弾力物のもう一つの立体図（斜視図）である。
【考案を実施するための形態】
【０００６】
図１〜図２を参照すると、本考案の好適な実施例である弾力物１は、緩衝に用いたり、または押したり握ったりして使用することができ、本実施例では、球形の弾性体２と、当該弾性体２の外部を被覆する弾性布３を有する弾力球を例としている。弾性体２の主な材質は、熱可塑性ゴムまたはポリウレタン樹脂と離型効果のある材料とを組み合わせたもので、良好な弾性回復力を有し、且つある程度の粘性を有するので、弾性布３と密着することができる。弾性布３は、複数の布片を縫い合わせたもので、且つその外部は、美観性を増すために様々なパターンを形成することができる。弾性布３は、ライクラ弾性クロスやナイロン弾性クロス、またはテトロン弾性クロスであってよく、且つ縫製方式で前記弾性体２の外部を被覆し、互いに密着する。
【０００７】
図３を併せて参照すると、弾力物１が手指によって上下から押圧されると、弾性体２と弾性布３が同期して変形し、外力が消失すると、弾性体２と弾性布３が同時に原状回復する。さらに説明すると、前記弾性布３は伸縮性を有しているので、弾性体２が外力を受けて変形すると、弾性布３もそれに伴って同時に伸縮変形する。この時、両者は依然として緊密な接触を維持して合体している。つまり、弾性布３は弾性体２の変形度合いの影響を受けることはないのである。さらに、弾性体２の外部は弾性布３で被覆されているので、人体と化学材質である弾性体２との接触を防止することができる。より具体的に言うと、人の手が弾力物１を押した場合、手は弾性布３にしか接触せず、弾性体２上の可塑剤その他の化学物質が人の手に残留することがないので、安全性が高く、例えば医療リハビリ用の握力ボール、緩衝器材、玩具の弾力ボール、圧力解放製品など、本考案の弾力物１を応用できる分野をかなり広げているので、本考案の弾力物１が優れた使用性を有していることは確実である。
【０００８】
さらに図４を併せて参照すると、前記弾性布３は、例えばサッカーボールのような外観に設計するなど、設計上の可変性が非常に高く、それで球形の弾性体２の外部を被覆すると弾力のあるサッカーボールとなり、図１のような外観に設計すると弾力のある野球ボールとなる。つまり本考案の弾力物１は、弾性布３の外観デザインの違いにより様々なアイテムを容易に形成することができるという優れたデザイン性を有している。その他にも、本考案の弾力物１の弾性体２及び弾性布３は洗浄が可能なので、使用者が外部の清潔さを維持することにも役立つ。
【符号の説明】
【０００９】
１  弾力物
２  弾性体
３  弾性布
【図１】
0003228264.tif 000003
【図２】
0003228264.tif 000004
【図３】
0003228264.tif 000005
【図４】
0003228264.tif 000006
(57)【要約】      （修正有）【課題】実際に観光地に行かなくても旅行気分が体験でき、実際の旅行でのインフルエンザや新型コロナウイルスなどの感染のリスクを無くすことができる仮想現実（ＶＲ）旅行通信システムを提供する。【解決手段】旅行者が家庭などでＶＲ専用ゴーグルやスマートフォンやパソコンなどの通信機を利用し、観光地などでＶＲ撮影者が３６０度カメラやドローンなどで撮影した映像コンテンツをインターネットを経由してリアルタイムで、もしくは編集された映像コンテンツを視聴する。観光地に行かなくても旅行気分を体験できる。【選択図】図１
0003228694.tif 000002
【実用新案登録請求の範囲】
【請求項１】
ＶＲ専用ゴーグルやスマートフォンやパソコンなどの通信機と、
前記通信機の操作で３６０度カメラなどの通信機能付きＶＲ撮影機または通信および撮影機能付きドローンで撮影した観光地などの映像コンテンツを視聴できるシステム。
【考案の詳細な説明】
【技術分野】
【０００１】
本考案は、旅行者が家庭などでＶＲ専用ゴーグルやスマートフォンやパソコンなどの通信機を利用し、観光地などでＶＲ撮影者が３６０度カメラやドローンなどで観光地で撮影した映像コンンテンツをインターネットを経由してリアルタイムもしくは編集された映像コンテンツを視聴して、観光地に行かなくても旅行気分を体験できる仮想現実（ＶＲ）旅行通信システムに関するものである。
【考案の概要】
【考案が解決しようとする課題】
【０００２】
インフルエンザや新型コロナウイルスなどの感染症拡大時期に、旅行に行くことで感染する問題がある。従って、仮想現実（ＶＲ）の旅行をすることで、実際には観光地に行かなくても旅行気分が体験できて、実際の旅行での感染のリスクが無くなる。
【課題を解決するための手段】
【０００３】
本考案は、旅行者が家庭などでＶＲ専用ゴーグルやスマートフォンやパソコンなどの通信機を利用し、観光地などでＶＲ撮影者が３６０度カメラやドローンなどで撮影した映像コンテンツをインターネットを経由してリアルタイムもしくは編集された映像コンテンツを視聴して、観光地に行かなくても旅行気分を体験できることで、問題点を解決している。
【考案の効果】
【０００４】
上述の様に、本考案の仮想現実（ＶＲ）旅行通信システムは、感染症拡大時期以外でも、身体的な理由や時間的、経済的に旅行に行けない人にも役に立つ。
【図面の簡単な説明】
【０００５】
【図１】本考案の仮想現実（ＶＲ）旅行通信システムの俯瞰図である。
【符号の説明】
【０００６】
１    ＶＲ専用ゴーグルやスマートフォンやパソコンなどの通信機
２    ３６０度カメラなどの通信機能付きＶＲ撮影機
３    通信および撮影機能付きドローン
【図１】
0003228694.tif 000003
(57)【要約】      （修正有）【課題】装身具の分野では用いられていなかった新たな材質を用いてネックレス等の装身具を提供する。【解決手段】ネックレス１は、コルク製のひも部材からなる。ひも部材は、コットン製の芯材にポリエステルを含んだコルクを被覆してなるものである。ポリエステルを含んだコルクとは、コルクシートにポリエステルシートを貼り付けたものなどである。【選択図】図１
0003228698.tif 000002
【実用新案登録請求の範囲】
【請求項１】
コルク製のひも部材を備えたことを特徴とする装身具。
【請求項２】
コットン製の芯材にポリエステルを含んだコルクを被覆してなるコルク製のひも部材であることを特徴とする請求項１記載の装身具。
【請求項３】
ひも部材に健康増進機能を有する金属粉末材を含侵させたことを特徴とする請求項１又は２記載の装身具。
【請求項４】
装身具がネックレスであることを特徴とする請求項１から３のいずれかに記載の装身具。
【請求項５】
装身具がブレスレットであることを特徴とする請求項１から３のいずれかに記載の装身具。
【考案の詳細な説明】
【技術分野】
【０００１】
本願考案は、ネックレスやブレスレットなどの装身具に関するものである。
【背景技術】
【０００２】
一般に、装飾品として用いられるネックレスやブレスレットは、鎖や、ガラス、プラスチック、貴石、金属などをつないだものが多い（服飾辞典第６版：文化出版局）。
これに対して、肩こりなどの軽減を目的とする健康ネックレスと呼ばれるものにはシリコンゴムを使用したものがある（特許文献１等）。
【先行技術文献】
【特許文献】
【０００３】
【特許文献１】特開２０１９−１８８１０６号公報
【考案の概要】
【考案が解決しようとする課題】
【０００４】
本願考案者は、従来、ネックレスやブレスレットなどの装身具の分野では用いられていなかった新たな材質を用いてこれまでに無い新規な装身具を提供すべく、本願考案を完成させるに至った。
【課題を解決するための手段】
【０００５】
その結果として完成させた本願考案は、コルク製のひも部材を備えたことを特徴とする装身具である。
また、そのひも部材は、コットン製の芯材にポリエステルを含んだコルクを被覆してなるものである。
さらに、そのひも部材に、健康増進機能を有する金属粉末材を含侵させたことを特徴とするものである。
そして、このような装身具としては、ネックレスやブレスレットなどが挙げられる。
【考案の効果】
【０００６】
本願考案によれば、以下のような効果を有する。
（１）天然素材であるコルクを使用しているので、人体に優しい装身具を提供できる（金属製アレルギーのようなことを心配しなくてもよい）。
（２）コルク素材なので、水に強い装身具を提供できる。
（３）コルクは寿命の限り、何度でも採取できる持続性の高い素材であり、環境に配慮した（環境に優しい）装身具を提供できる。
（４）ネックレス（ひも部材）に健康増進機能を有する金属粉末材を含侵させたことで、例えば、磁気の力で血行を改善（肩こりの解消）などができる。
【図面の簡単な説明】
【０００７】
【図１】本願考案に係るネックレスを説明する説明図（１）。
【図２】本願考案に係るネックレスを説明する説明図（２）。
【考案を実施するための形態】
【０００８】
本願考案の実施形態を図面に基づいて説明する。ここでは、装身具としてネックレスを例に挙げて説明する。
図１に図示するように、ネックレス１は、ひも部材からなる。そして、そのひも部材をコルク製のもので製作している。
【０００９】
そして、図２は、そのコルク製のひも部材の断面図を図示している。図示するように、ひも部材は、コットン製の芯材２にポリエステルを含んだコルク３を被覆してなるものである。ポリエステルを含んだコルクとは、例えば、柔軟性・耐久性をもたせるためにコルクシートにポリエステルシートを貼り付けているものなどが挙げられる。
【００１０】
コルク製ネックレスにすることで、単なる装飾品としてのネックレスではなく、人体に優しく、水に強い機能性ネックレスとして幅広い人々に利用してもらえるものになる。
【００１１】
さらに、ひも部材に健康増進機能を有する金属粉末材（例えば、ファイテン株式会社製「メタックス（登録商標）など」を含侵させることで、本願発明のネックレスをするだけで、例えば磁気の力で肩こりの解消など血行の改善等ができるようになる。
【００１２】
なお、図示していないが、ネックレス１には、ペンダントヘッドなど装飾部材を付けることも可能である（装飾部材は着脱自在でもよいし、そうでなくてもよい）。
【産業上の利用可能性】
【００１３】
本願考案は、その形状は問わず、非金属製・非プラスチック製装身具として幅広く利用できるものである。
【符号の説明】
【００１４】
１    ネックレス
２    芯材
３    コルク
【図１】
0003228698.tif 000003
【図２】
0003228698.tif 000004
(57)【要約】      （修正有）【課題】丸缶容器内の塗料を別の容器に移し替える時に、塗料が垂れて容器が汚れる心配がなく、丸缶容器の環状溝凹部に塗料が付着することがない丸缶容器の注ぎ口具を提供する。【解決手段】丸缶容器の注ぎ口具は、柔軟な合成樹脂で形成された台部１の上面の長手方向に沿って軟質な薄板２を着脱自在に立設し、丸缶容器の開口部の環状溝凹部に嵌合する差込み部５を台部１の下面の長手方向に沿って設置したものであり、差込み部５を丸缶容器の開口部の環状溝凹部に嵌合する。【選択図】図１
0003228687.tif 000002
【実用新案登録請求の範囲】
【請求項１】
塗料を収納している丸缶容器から塗料を注ぎ出すための注ぎ口器具であって、台部の上面の長手方向に沿って薄板を着脱自在に立設し、前記丸缶容器の開口部の環状溝凹部に嵌合する差込み部を前記台部の下面の長手方向に沿って設けたことを特徴とする丸缶容器の注ぎ口具。
【考案の詳細な説明】
【技術分野】
【０００１】  本考案は、丸缶容器内の塗料を注ぎ出すための着脱自在な注ぎ口具に関するものである。
【背景技術】
【０００２】  従来、丸缶容器内の塗料を注ぎ出すには、丸缶容器から直に別の容器に移し替えていた。
【先行技術文献】
【０００３】
【特許文献】
【特許文献】実開平４−６５７３９号公報
【考案の概要】
【考案が解決しようとする課題】
【０００４】  従来、丸缶容器内の塗料を直に別の容器に移し替え際、こぼれる塗料で容器が汚れて、次回使用時には汚れたままで使用しなければならず、更に丸缶容器の開口部の環状溝凹部に塗料が付着して塗料が固まって容器の蓋が開けにくくなったり、容器の蓋の閉まりが悪くなって、容器内部の塗料が蒸発する欠点があった。したがって、塗料を注ぎ出すための着脱自在な注ぎ口具を丸缶容器の開口部に取付けて前述の欠点を解決しようとするものである。
【課題を解決するための手段】
【０００５】  上記問題を達成するためには、軟質な合成樹脂で形成された台部の上面の長手方向に沿って軟質な薄板を着脱自在に立設し、前記丸缶容器の開口部の環状溝凹部に嵌合する差込み部を前記台部の下面の長手方向に沿って設けて、差込み部を丸缶容器の開口部の環状溝凹部に嵌合することにより問題を解決している。なお丸缶容器の開口部の径に合わせて丸缶容器の注ぎ口具は長手方向の適宜な長さで切断して使用するものである。
【考案の効果】
【０００６】  丸缶容器の注ぎ口具は丸缶容器の開口部の径に合わせて長手方向の適宜な長さで切断して使用するものであるから、丸缶容器の開口部の大径から小径まで現場で即対応できる。【０００７】  また、柔軟性な合成樹脂で形成された台部の上面の長手方向に沿って軟質な薄板を着脱自在に立設しているので、丸缶容器の開口部の環状溝凹部の沿ってスムーズに曲げることが出来るので、容易に差込み部を誘導して環状溝凹部に嵌合することにより注ぎ口具の位置を容易に決めることが出来る。【０００８】  さらに薄板が損傷した時などは薄板を短時間で容易に交換できる。【０００９】  そして、丸缶容器の開口部の環状溝凹部に差込み部が嵌合した状態で、別の容器に移し替えても塗料が垂れて容器が汚れる心配もないし、また容器の汚れに起因する環状溝凹部に塗料が付着する事もないので、容器の蓋が開けにくくなったり、容器の蓋の閉まりが悪くなって、容器内部の塗料が蒸発する恐れもない。
【図面の簡単な説明】
【００１０】
【図１】  本考案の正面図
【図２】  本考案の側面図
【図３】  環状溝凹部に嵌合する差込み部の拡大一部欠損断面図
【考案を実施するための形態】
【００１１】  本考案は、柔軟な合成樹脂で形成された台部の上面の長手方向に沿って軟質な薄板を着脱自在に立設し、前記丸缶容器の開口部の環状溝凹部に嵌合する差込み部を前記台部の下面の長手方向に沿って設置して、差込み部を丸缶容器の開口部の環状溝凹部に嵌合している。なお丸缶容器の開口部の径に合わせて丸缶容器の注ぎ口具は長手方向の適宜な長さで切断して使用するものである。なお係止凸部は台部と一体成形としてもいい。以下、添付図面に従って一実施例を説明する。
【実施例】
【００１２】  図１及び図２は本考案の正面図と側面図、図３は環状溝凹部に嵌合する差込み部の拡大一部欠損断面図である。
１はシリコンゴム等の柔軟な合成樹脂で形成された台部である。２は軟質な長方形の薄板であって、台部１の上面の長手方向に設けられた切込み口に沿って着脱自在に立設されている。３は塗料が入った丸缶容器である。４は丸缶容器３の開口部の環状溝凹部である。５は台部１の下面の長手方向に沿って設置された差込み部で、丸缶容器３の開口部の環状溝凹部４に嵌合される。【００１３】  本考案は以上の構成であるから、丸缶容器の注ぎ口具は丸缶容器３の開口部の径に合わせて長手方向の適宜な長さで切断して、柔軟性な合成樹脂で形成された台部１は上面の長手方向に沿って軟質な薄板２を着脱自在に立設しており、丸缶容器３の開口部の環状溝凹部４に沿ってスムーズに曲げることが出来るので、台部１の下面に設置された差込み部５を容易に誘導して環状溝凹部４に嵌合して注ぎ口具が位置決めが容易に出来る。本考案は丸缶容器３の開口部の環状溝凹部４に差込み部５を嵌合しているので、別の容器に移し替えても塗料が垂れて容器周縁が塗料に汚損される心配もないし、また容器の汚れに起因する環状溝凹部４に塗料が付着する事もないので、容器の蓋が開けにくくなったり、容器の蓋の閉まりが悪くなって容器内部の塗料が蒸発する恐れもない。
【産業上の利用可能性】
【００１４】  本考案は、丸缶容器の注ぎ口具の産業で利用される。
【符号の説明】
【００１５】１  台部
２  長方形の薄板
３  丸缶容器
４  環状溝凹部
５  差込み部
【図１】
0003228687.tif 000003
【図２】
0003228687.tif 000004
【図３】
0003228687.tif 000005